(57)【要約】【課題】貯留された粉粒体材料を、バラツキなく正確且つ確実に計量して供給する。【解決手段】粉粒体材料Ｘを貯留した材料貯留ホッパーＹの排出口Ｚに取り付けられる多段シャッター式計量ダンパー供給装置Ａであって、上記多段シャッター式計量ダンパー供給装置Ａは、上記排出口Ｚと、多段シャッター式計量ダンパー供給装置Ａの材料供給口１０との間に、少なくとも上記排出口Ｚに応じた第１の計量孔１１を形成した上部シャッター１と、上記材料供給口１０に応じた第２の計量孔２１を形成した下部シャッター２とを、各々の駆動手段７、８によって相互に往復移動可能に設けた構造にしている。【選択図】図１
2005263394.tif 000002
【特許請求の範囲】
【請求項１】
粉粒体材料を貯留した材料貯留ホッパーの排出口に取り付けられる多段シャッター式計量ダンパー供給装置であって、
上記多段シャッター式計量ダンパー供給装置は、
上記排出口と、多段シャッター式計量ダンパー供給装置の材料供給口との間に、少なくとも上記排出口に応じた第１の計量孔を形成した上部シャッターと、上記材料供給口に応じた第２の計量孔を形成した下部シャッターとを、駆動手段によって相互に往復移動可能に設けた構造にしている多段シャッター式計量ダンパー供給装置。
【請求項２】
請求項１において、
上記駆動手段には、上記上部シャッター及び上記下部シャッターの往復移動位置及び／又は停止時間を制御可能な制御手段を設けている多段シャッター式計量ダンパー供給装置。
【請求項３】
請求項１又は２の何れかにおいて、
上記排出口と、上記第１の計量孔とは、フレキシブル管で連通されており、
上記排出口から排出される粉粒体材料は、上記下部シャッターの第２の計量孔で計量される構造にしている多段シャッター式計量ダンパー供給装置。
【請求項４】
請求項１〜３の何れかにおいて、
上記上部シャッターと、上記下部シャッターとの間には、上記上部シャッターの第１の計量孔が、上記材料貯留ホッパーの排出口と合致したときに、材料貯留ホッパーから落下した粉粒体材料を充填させる計量調整連通管あるいは、充填空間部を形成した計量調整ブロックを取り替え可能に介在させた構造にしている多段シャッター式計量ダンパー供給装置。
【請求項５】
請求項１〜４の何れかに記載された２以上の多段シャッター式計量ダンパー供給装置が上方に設置され、
上記多段シャッター式計量ダンパー装置の材料供給口の下方には、重量検知部を備えた計量ホッパーが更に設置され、この計量ホッパー内に貯留された材料粉粒体が所定重量に達したときには、上記計量ホッパーの排出ダンパーが開放されて排出される構造にしている材料供給装置。
【発明の詳細な説明】
【技術分野】
【０００１】
本発明は、粉粒体材料（例えば、合成樹脂原材料等の粉粒体）を貯留した材料貯留ホッパーの排出口から、所定量を計量して供給、排出可能な多段シャッター式計量ダンパー供給装置に関する。
【背景技術】
【０００２】
従来、粉粒体材料を貯留した材料貯留ホッパーの排出口から、所定量の粉粒体材料を計量して供給する際、上記所定量の供給に適した供給装置が適宜選択して使用されていた。
【０００３】
これらの供給装置としては、例えば、上記排出口から自然落下される粉粒体材料を、管内に設けられた回転スクリューによって、上記粉粒体材料を回転スクリューの基端から先端に向けて徐々に移送し、上記管前方から粉粒体材料を所定量だけ供給してなるスクリュー式供給装置があった（例えば、特許文献１参照。）。
【０００４】
また、上記排出口に開閉可能なフラップダンパーを設けておき、このフラップダンパーの開閉時間を制御することで貯留された粉粒体材料を所定量だけ供給してなるフラップダンパー式供給装置もあった（例えば、特許文献２参照。）。
【特許文献１】特開２０００−２１１７２５号（図１、図４）
【特許文献２】特開平７−７６３９５号（図１）
【発明の開示】
【発明が解決しようとする課題】
【０００５】
しかし、これらの供給装置では、以下の問題がある。
【０００６】
すなわち、スクリュー式供給装置では、インバーター等で上記回転スクリューの回転数を変更して、粉粒体材料の移送される供給量を変更するものであるが、構造上、同一の回転スクリューでは、最小供給能力量の２０倍程度しか最大供給能力量とすることができず、仮に、上記最大供給能力量以上の供給量を必要とする場合には、上記回転スクリュー自体を大容量のものに変更しなければならず、作業効率が悪いという問題があった。
【０００７】
一方、フラップダンパー式供給装置では、粉粒体材料の供給量の調整は、フラップダンパーの開放時間を変更する操作によって、その供給量をゼロから上記材料貯留ホッパー内の全てまでの範囲で排出することはできるが、上記フラップダンパーの開閉動作にバラツキが生じ易く、供給量の微調整ができないという問題があった。
【０００８】
本発明は、かかる課題を解決することを目的とするもので、貯留された粉粒体材料をバラツキなく計量し、所定量の粉粒体材料を正確且つ確実に供給することができる多段シャッター式計量ダンパー供給装置を提供する。
【課題を解決するための手段】
【０００９】
上記目的を達成するため、
請求項１に係る多段シャッター式計量ダンパー供給装置では、上部シャッターと下部シャッターとを駆動手段によって相互に往復移動可能しているので、上部シャッターの第１の計量孔と、下部シャッターの第２の計量孔との重合する程度を調整することによって、様々な供給形態（供給ゼロ〜少量供給〜多量供給）を１つの供給装置によって行うことができる。
【００１０】
また、材料貯留ホッパーの排出口から自然落下して排出される粉粒体材料を、上部シャッターの第１の計量孔で一旦マス計量し、そのマス計量された粉粒体材料分だけを下部シャッターの第２の計量孔に移送して材料供給口から供給するようにしているので、所定量をバラツキなく正確且つ確実に供給できる。
【００１１】
請求項２に係る多段シャッター式計量ダンパー供給装置では、往復移動位置及び／又は停止時間を制御可能な制御手段を設けているので、様々な供給形態（供給ゼロ〜少量供給〜多量供給）を自動或いは手動で制御できる。
【００１２】
請求項３に係る多段シャッター式計量ダンパー供給装置では、排出口と、第１の計量孔とをフレキシブル管で連通させることにより、上部シャッターの移動位置に関係なく、常に第１の計量孔に粉粒体材料が充填されるので、第２の計量孔への移送時間を短縮して、作業効率を高めることができる。
【００１３】
請求項４に係る多段シャッター式計量ダンパー供給装置は、
このものでは、第１の計量孔に計量調整連通管あるいは、充填空間部を形成した計量調整ブロックを取り替え可能に介在させているので、第１の計量孔でマス計量される容量を徴調整することができる。
【００１４】
請求項５に係る材料供給装置では、２以上の多段シャッター式計量ダンパー供給装置を設けて、異なる種類の粉粒体材料を、同一の装置で混合させることができるうえ、各々の装置でマス計量され、所定量のバラツキを生じることなく正確且つ確実に供給できる。
【００１５】
また、計量ホッパーで混合される２種以上の粉粒体材料は、重量検知部によって、総重量を計量でき、混合材料の混合比率及び総重量を正確且つ確実に実行できる。
【発明の効果】
【００１６】
本発明によれば、次のような効果がある。
請求項１に係る多段シャッター式計量ダンパー供給装置によれば、上部シャッターと下部シャッターとを駆動手段によって相互に往復移動可能しているので、上部シャッターの第１の計量孔と、下部シャッターの第２の計量孔との重合する程度を調整することによって、様々な供給形態（供給ゼロ〜少量供給〜多量供給）を１つの供給装置によって行うことができる。
【００１７】
また、材料貯留ホッパーの排出口から自然落下して排出される粉粒体材料を、上部シャッターの第１の計量孔で一旦マス計量し、そのマス計量された粉粒体材料分だけを下部シャッターの第２の計量孔に移送して材料供給口から供給するようにしているので、所定量だけをバラツキなく正確且つ確実に供給できる。
【００１８】
請求項２に係る多段シャッター式計量ダンパー供給装置によれば、往復移動位置及び／又は停止時間を制御可能な制御手段を設けているので、様々な供給形態（供給ゼロ〜少量供給〜多量供給）を自動或いは手動で制御できる。
【００１９】
請求項３に係る多段シャッター式計量ダンパー供給装置によれば、排出口と、第１の計量孔とをフレキシブル管で連通させることにより、上部シャッターの移動位置に関係なく、常に第１の計量孔に粉粒体材料が充填されるので、第２の計量孔への移送時間を短縮して、作業効率を高めることができる。
【００２０】
請求項４に係る多段シャッター式計量ダンパー供給装置によれば、第１の計量孔に計量調整連通管あるいは、充填空間部を形成した計量調整ブロックを取り替え可能に介在させているので、第１の計量孔でマス計量される容量を徴調整することができる。
【００２１】
請求項５に係る材料供給装置によれば、２以上の多段シャッター式計量ダンパー供給装置を設けて、異なる種類の粉粒体材料を、同一の装置で混合させることができるうえ、各々の装置でマス計量され、所定量のバラツキを生じることなく正確且つ確実に供給できる。
【００２２】
また、計量ホッパーで混合される２種以上の粉粒体材料は、重量検知部によって、総重量を計量でき、混合材料の混合比率及び総重量を正確且つ確実に実行できる。
【発明を実施するための最良の形態】
【００２３】
本発明を、図面に基づいて説明する。
【実施例１】
【００２４】
図１は、本発明に係る多段シャッター式計量ダンパー供給装置Ａの一実施例を示した概略断面図である。
【００２５】
この多段シャッター式計量ダンパー供給装置Ａは、粉粒体材料Ｘを貯留した材料貯留ホッパーＹの排出口Ｚに取り付けられ、この排出口Ｚと、多段シャッター式計量ダンパー供給装置Ａの材料供給口１０との間に、少なくとも上記排出口Ｚに応じた第１の計量孔１１を形成した上部シャッター１と、材料供給口１０に応じた第２の計量孔２１を形成した下部シャッター２とを、各々個別の駆動手段３、４によって相互に往復移動可能に設けた構造のものである。
【００２６】
ここで、粉粒体材料は、粉体・粒体・微小薄片・短繊維片等を含む材料を意味するが、本実施例では、樹脂用粉粒体材料を使用している。
【００２７】
以下、各部材について、詳説する。
【００２８】
材料貯留ホッパーＹは、下端に向けて除々に狭いテーパー状に形成され、ブロアー等の気体吸引装置（図示略）によって、粉粒体材料Ｘが材料貯留ホッパーＹに貯留されると、粉粒体材料Ｘは、下端の排出口Ｚにスムーズに集結される。
【００２９】
このような材料貯留ホッパーＹの排出口Ｚに、本発明の多段シャッター式計量ダンパー供給装置Ａを設けてなる。
【００３０】
図１で示した多段シャッター式計量ダンパー供給装置Ａは、上、下に間隔をあけて配置した上側基材５と、下側基材６とを設け、これらの上側基材５と下側基材６との間に、上部シャッター１と下部シャッター２とが摺動可能に挟まれて成る。
【００３１】
上側基材５には、取付穴５１が形成され、この取付穴５１に排出口Ｚの下端が貫通されるように固定している。
【００３２】
下側基材６には、取付穴５１の鉛直位置であって、この下側基材６に貫通される略同口径の筒体を下方に向けて延設した材料供給口１０を形成している。
【００３３】
また、これら取付穴５１及び材料供給口１０の大きさや形状は、材料貯留ホッパーＹの排出口Ｚ等に応じて適宜選択されるが、これら取付穴５１と、材料供給口１０とが上下に整合した位置関係にあれば良い。
【００３４】
上部シャッター１は、排出口Ｚと同口径の貫通孔が開設された第１の計量孔１１を備えている。
【００３５】
第１の計量孔１１の容積は、上記貫通孔の口径と、上部シャッター１の厚みによって特定されるが、例えば、上記口径の直径が５０ｍｍ、上記厚みが１０ｍｍであれば、６．２５ｃｍ３の容積となる。
【００３６】
そして、この容積の第１の計量孔１１に、嵩密度０．５の粉粒体材料Ｘが充填されるとすれば、この第１の計量孔１１では、１回で３ｇの粉粒体材料Ｘをマス計量できる計算となる。
【００３７】
なお、本実施例では、第１の計量孔１１でのマス計量される粉粒体材料Ｘの量（「マス計量値」とも呼ぶ。）は、３ｇとして説明する。
【００３８】
一方、下部シャッター２１は、材料供給口１０と同口径の貫通孔に開設された第２の計量孔２１を備えている。
【００３９】
本実施例で示された第２の計量孔２１は、第１の計量孔１１のマス計量値と同量となる同口径、同容積に形成したものを例示しているが、少なくとも、第１の計量孔１１でマス計量される粉粒体材料Ｘの全量が移送される口径、容積であれば良い。
【００４０】
これらの上部シャッター１及び下部シャッター２には、これらを水平方向に各々往復移動させるため、各々個別の駆動手段３、４を連設している。
【００４１】
また、駆動手段３、４には、上部シャッター１及び下部シャッター２の往復移動位置及び／又は停止時間を制御可能な制御手段７、８を設けている。
【００４２】
このように構成された本発明の多段シャッター式計量ダンパー供給装置Ａは、以下のように動作する。
【００４３】
図２及び図３は、図１で示した本発明の多段シャッター式計量ダンパー供給装置Ａの動作状態を概略した動作説明図であり、図２（ａ）〜（ｄ）は、少量の粉粒体材料をマス計量する場合の動作説明図、図３（ａ）〜（ｅ）は、多量の粉粒体材料をマス計量する場合の動作説明図を各々例示したものである。
【００４４】
なお、図１と共通する部位には、同一の番号を付し、その説明は省略する。
【００４５】
最初に、少量の粉粒体材料Ｘを計量する場合について説明する。
【００４６】
先ず、材料貯留ホッパーＹの排出口Ｚを上部シャッター１で閉じ、且つ、材料供給口１０を下部シャッター２で閉じた状態に保持する〔図２（ａ）参照。〕。
【００４７】
この状態から、第１の計量孔１１が、材料貯留ホッパーＹの排出口Ｚに合致するように上部シャッター１を移動させると、材料貯留ホッパーＹ内の粉粒体材料Ｘは、排出口Ｚを通じて上部シャッター１の第１の計量孔１１に自然落下して充填され、この第１の計量孔１１では上記３ｇのマス計量値が計量される〔図２（ｂ）参照。〕。
【００４８】
かくして、マス計量した後は、第１の計量孔１１を、下部シャッター２の第２の計量孔２１と合致される位置まで駆動手段３を駆動して移動させれば、第１の計量孔１１に充填されている粉粒体材料Ｘは、第２の計量孔２１に自然落下して移送される〔図２（ｃ）参照。〕。
【００４９】
そして、第２の計量孔２１が、材料供給口１０に合致するように、下部シャッター２を駆動手段４を駆動して移動させれば、第２の計量孔２１に充填されている粉粒体材料Ｘは、材料供給口１０から自然落下して成形装置等に供給され、３ｇの粉粒体材料Ｘだけを正確且つ確実に供給できる。
【００５０】
このような多段シャッター式計量ダンパー供給装置Ａでは、上部シャッター１と下部シャッター２を駆動手段３、４で交互に往復移動させるだけで、材料貯留ホッパーＹから自然に落下投入される粉粒体材料Ｘを正確にマス計量して、材料供給口１０から所定量の粉粒体材料Ｘを供給することができる。
【００５１】
また、上記マス計量は、第１の計量孔１１の容量（口径や深さ）、第１の計量孔１１と材料貯留ホッパーＹの排出口Ｚとの重なり具合を制御手段７で位置調節することによって、１／４、１／３、１／２、ＦＵＬＬなどの多段階に変化させることができ、様々な供給形態（供給ゼロ〜少量供給〜多量供給）を１つの多段シャッター式計量ダンパー供給装置Ａによって行うことができる。
【００５２】
次に、多量の粉粒体材料Ｘを計量する場合について説明する。
【００５３】
先ず、図２（ａ）、（ｂ）と同じ要領で、材料貯留ホッパーＹの排出口Ｚと、第１の計量孔１１が完全に合致するように、上部シャッター１を移動させると、材料貯留ホッパーＹ内の粉粒体材料Ｘは、上部シャッター１の第１の計量孔１１に自然落下して充填される〔図３（ａ）、（ｂ）参照。〕。
【００５４】
この状態から、第２の計量孔２１を、第１の計量孔１１に合致する位置まで駆動手段４を駆動して移動させれば、第１の計量孔１１と第２の計量孔２１とが完全に合致され、材料貯留ホッパーＹ内に貯留されている粉粒体材料Ｘは、材料供給口１０から連続に自然落下して、供給される〔図３（ｃ）参照。〕。
【００５５】
このとき、駆動手段４に設けられた制御手段（タイマー等）によって、下部シャッター２の停止時間を制御しておけば、その制御時間の経過によって、連続供給される粉粒体材料Ｘの供給量を調節できる。
【００５６】
そして、粉粒体材料Ｘの供給量が、所定量に近づいたときに、上部シャッター１及び／又は下部シャッター２を移動させると、粉粒体材料Ｘの連続供給が停止する〔図３（ｄ）、（ｅ）参照。〕。
【００５７】
その後、図２と同じ要領で、所定量に達するまでマス計量を行えば、多量の粉粒体材料Ｘを短時間で正確且つ確実に供給することができる。
【実施例２】
【００５８】
図４は、本発明に係る多段シャッター式計量ダンパー供給装置Ａの他の実施例を示した概略断面図であり、図５（ａ）〜（ｃ）は、図４で示した多段シャッター式計量ダンパー供給装置Ａの動作状態を概略した動作説明図である。
【００５９】
なお、図１〜図３と対応する部位には、共通の符号を付し、その説明は省略する。
【００６０】
この多段シャッター式計量ダンパー供給装置Ａは、粉粒体材料Ｘを貯留した材料貯留ホッパーＹの排出口Ｚと、第１の計量孔１１とは、フレキシブル管９で連通されており、排出口Ｚから排出される粉粒体材料Ｘは、下部シャッター２の第２の計量孔２１で計量される点に特徴がある。
【００６１】
この多段シャッター式計量ダンパー供給装置Ａでは、排出口Ｚと、材料供給口１１とが偏位された位置関係にある場合などに適している。
【００６２】
すなわち、材料貯留ホッパーＹに貯留された粉粒体材料Ｘは、排出口Ｚを通じて直接上部シャッター１の第１の計量孔１１及び第２の計量孔２１に充填される〔図５（ａ）参照。〕。
【００６３】
この状態から、第２の計量孔２１が、材料供給口１０に合致するように、下部シャッター２を駆動手段４によって移動させると、第２の計量孔２１に充填されている粉粒体材料Ｘは、材料供給口１０から自然落下して供給され、第２の計量孔２１でマス計量された少量の粉粒体材料Ｘ（例えば、３ｇ）だけを正確且つ確実に供給できる〔図５（ｂ）参照。〕。
【００６４】
また、下部シャッター２の第２の計量孔２１を、材料供給口１０と重合する位置に保持しておき、上部シャッター１の第１の計量孔１１が、下部シャッター２の第２の計量孔２１に重合させると、材料貯留ホッパーＹ内の粉粒体材料Ｘは、材料供給口１０より連続に自然落下して供給される〔図５（ｃ）参照。〕。
【００６５】
このとき、制御手段７、８（タイマー等）によって、上部シャッター１、下部シャッター２の停止時間が制御され、その制御時間の経過によって、連続供給される粉粒体材料Ｘの供給量を調節できる。
【００６６】
そして、粉粒体材料Ｘの排出量が、所定量に近づいたときに、上部シャッター１及び／又は下部シャッター２を移動させると、粉粒体材料Ｘの連続供給が停止する〔図５（ａ）、（ｂ）参照。〕。
【００６７】
その後、上記の要領で、所定量に達するまで第２の計量孔２１でマス計量を行えば、多量の粉粒体材料Ｘを短時間で正確且つ確実に供給することができる。
【００６８】
このような多段シャッター式計量ダンパー供給装置Ａでは、排出口Ｚと上部シャッター１の第１の計量孔１１とはフレキシブル管９で連通されているので、上部シャッター１がどの位置にあっても、第１の計量孔１１には、材料貯留ホッパーＹからの粉粒体材料Ｘが常に充填され、第２の計量孔２１への移送時間を短縮することができるので、作業効率を高めることができる。
【実施例３】
【００６９】
図６は、本発明に係る多段シャッター式計量ダンパー供給装置Ａの更に他の実施例を示した概略断面図である。
【００７０】
なお、図１〜図５と対応する部位には、共通の符号を付し、その説明は省略する。
【００７１】
この多段シャッター式計量ダンパー供給装置Ａは、上部シャッター１と、下部シャッター２との間に、第１の計量孔１１が、材料貯留ホッパーＹの排出口Ｚと合致したときに、材料貯留ホッパーＹから落下する粉粒体材料Ｘを充填させる計量調整連通管１１０あるいは、充填空間部を形成した計量調整ブロック（不図示）を取り替え可能に介在させている点に特徴がある。
【００７２】
ここでは、第１の計量孔１１と同内径である筒状の計量調整連通管１１０を、上部シャッター１の下方に固定具で取り替え可能に固定したものを例示しているが、この計量調整連通管１１０にかえて、ブロック状の任意位置に、上下に第１の計量孔１１と同口径を貫通された充填空間部を形成した計量調整ブロック（不図示）を上記同様、取り替え可能に固定しても良い。
【００７３】
すなわち、材料貯留ホッパーＹ内の粉粒体材料Ｘは、排出口Ｚを通じて上部シャッター１の第１の計量孔１１に自然落下して充填されるが、このとき、第１の計量孔１１の容量に加え、計量調整連通管１１０にも充填されることとなり、第１の計量孔１１で計量されるマス計量値は、第１の計量孔１１及び計量調整連通管１１０の両者の容積分となる。
【００７４】
そのため、例えば、第１の計量孔１１のマス計量値を変更したい場合には、この計量調整連通管１１０を取り替えるだけで、上部シャッター１自体を取り替える必要がないのである。
【００７５】
このように、本発明では、長さ或いは内径の異なる計量調整連通管１１０を取り替えたり、充填空間部の容量のことなる計量調整ブロック（不図示）を取り替えることで、第１の計量孔１１に充填される容量を簡単に変更することができ、第１の計量孔１１のマス計量値を容易に徴調整できる。
【実施例４】
【００７６】
図７は、本発明に係る多段シャッター式計量ダンパー供給装置Ａ、Ａを用いた材料供給装置の一例を示した概略断面図である。
【００７７】
なお、図１〜図６と対応する部位には、共通の符号を付し、その説明は省略する。
【００７８】
この材料供給装置Ｂは、図１〜図６で例示した２以上の多段シャッター式計量ダンパー供給装置Ａ、Ａが上方に併設され、その材料供給口１０の下方には、重量検知部Ｂ１を備えた計量ホッパーＢ２が更に設置され、この計量ホッパーＢ２内に貯留された材料粉粒体Ｘが所定重量に達したときには、計量ホッパーＢ２の排出ダンパーＢ３が開放されて排出される構造にしている。なお、計量ホッパーＢ２内には、攪拌羽根などの混合器（不図示）を設けている。
【００７９】
この材料供給装置Ｂは、例えば、樹脂ペレット等の原材料に、顔料、添加物等を混合する場合のように、２種以上の粉粒体材料Ｘ１、Ｘ２を混合する場合に適している。
【００８０】
すなわち、一般に、原材料Ｘ１に、添加物Ｘ２が混合された粉粒体材料Ｘの場合、各々の分量は、原材料Ｘ１が多量であるのに比べ、添加物Ｘ２は少量であるため、併設された２台の多段シャッター式計量ダンパー供給装置Ａ、Ａのうち、一方の材料貯留ホッパーＹ１には、原材料となる粉粒体材料Ｘ１（以下、原材料Ｘ１と呼ぶ。）を貯留し、他方には、添加物等となる粉粒体材料Ｘ２（以下、添加物等Ｘ２と呼ぶ。）を貯留するようにしている。
【００８１】
この場合、両者の分量が不正確であれば、混合された仕上り具合も不均一なものとなってしまうため、計量ホッパーＢ２には、多量の原材料Ｘ１を所定量だけ正確に供給すると共に、少量の原材料Ｘ２をも正確に供給する必要がある。
【００８２】
そのため、２以上の多段シャッター式計量ダンパー供給装置Ａ、Ａを併設しておき、上記要領で、その一方の装置Ａが多量の原材料Ｘ１を計量ホッパーＢ２内に正確に供給すると共に、他方の装置Ａが少量の添加物等Ｘ２を計量ホッパーＢ２内に正確に供給するようにしたものである。
【００８３】
もっとも、図１〜図６で示した多段シャッター式計量ダンパー供給装置Ａの材料貯留ホッパーＹに、これらの原材料Ｘ１又は添加物等Ｘ２を順に貯留し、各々を順に計量することも可能であるが、本発明の材料供給装置Ｂでは、その混合作業を同時に行える点で効率的である。
【００８４】
また、計量ホッパーＢ２には、この計量ホッパーＢ２内の粉粒体材料Ｘ（Ｘ１、Ｘ２）の総重量を計量可能な重量検知部Ｂ１を備えているので、供給された２種以上の混合された粉粒体材料Ｘ（Ｘ１、Ｘ２）の総重量を正確且つ確実に計量でき、正確な混合率及び重量の粉粒体材料Ｘにしたものを排出ダンパーＢ３から排出するのである。
【００８５】
このような材料供給装置Ｂによれば、２以上の多段シャッター式計量ダンパー供給装置Ａ、Ａを設けて、異なる種類の原材料Ｘ１と添加物等Ｘ２を、同一の装置Ａ、Ａで計量ホッパーＢ２に供給できるので、操作性が良く、また、各々の装置Ａ、Ａでマス計量したうえで計量ホッパーＢ２に供給しているので、所定量のバラツキがなく正確且つ確実な混合率の粉粒体材料Ｘを供給できる。
【００８６】
しかも、計量ホッパーＢ２に供給された２種以上の混合された粉粒体材料Ｘ（Ｘ１、Ｘ２）は、重量検知部Ｂ１によって、総重量を正確且つ確実に計量できる。
【産業上の利用可能性】
【００８７】
本発明は、貯留された粉粒体材料を正確に計量可能な多段シャッター式計量ダンパー供給装置、材料供給装置として有効に利用することが可能である。
【図面の簡単な説明】
【００８８】
【図１】本発明に係る多段シャッター式計量ダンパー供給装置Ａの一実施例を示した概略断面図である。
【図２】図１で示した本発明の多段シャッター式計量ダンパー供給装置Ａの動作状態を概略した動作説明図であり、（ａ）〜（ｄ）は、少量の粉粒体材料をマス計量する場合の動作説明図である。
【図３】図１で示した本発明の多段シャッター式計量ダンパー供給装置Ａの動作状態を概略した動作説明図であり、（ａ）〜（ｅ）は、多量の粉粒体材料をマス計量する場合の動作説明図を各々例示したものである。
【図４】本発明に係る多段シャッター式計量ダンパー供給装置Ａの他の実施例を示した概略断面図である。
【図５】（ａ）〜（ｃ）は、図４で示した多段シャッター式計量ダンパー供給装置Ａの動作状態を概略した動作説明図である。
【図６】本発明に係る多段シャッター式計量ダンパー供給装置Ａの更に他の実施例を示した概略断面図である。
【図７】本発明に係る多段シャッター式計量ダンパー供給装置Ａ、Ａを用いた材料供給装置の一例を示した概略断面図である。
【符号の説明】
【００８９】
Ａ      多段シャッター式計量ダンパー供給装置
Ｂ１    重量検知部
Ｂ２    計量ホッパー
Ｂ３    排出ダンパー
Ｘ、Ｘ１、Ｘ２  粉粒体材料
Ｙ、Ｙ１、Ｙ２  材料貯留ホッパー
Ｚ      排出口
１      上部シャッター
１０    材料供給口
１１    第１の計量孔
２      下部シャッター
２１    第２の計量孔
３      駆動手段（上部シャッター）
４      駆動手段（下部シャッター）
７      制御手段（上部シャッター）
８      制御手段（下部シャッター）
９      フレキシブル管
１１０  計量調整連通管（充填空間部を形成した計量調整ブロック）
【図１】
2005263394.tif 000003
【図２】
2005263394.tif 000004
【図３】
2005263394.tif 000005
【図４】
2005263394.tif 000006
【図５】
2005263394.tif 000007
【図６】
2005263394.tif 000008
【図７】
2005263394.tif 000009